(57)【要約】【課題】コンクリート打設時に鉄筋とコンクリート打設用型枠との間隔を確保するために使用される鉄筋用スペーサに関し、縦使いでも横使いでも使用することのできる鉄筋用スペーサを提供する。【解決手段】鉄筋用スペーサは、コンクリート打設用の型枠内において、鉄筋と型枠との間隔を一定に保つために使用されるスペーサであって、スペーサを鉄筋に固定する鉄筋保持部と、型枠内面に当接する型枠当接部と、鉄筋と型枠との間隔を一定に保つ間隔保持部と、間隔保持部に対し型枠当接部を、間隔保持部の軸線方向を中心に回転できるように保持する回転機構部とからなる。【選択図】    図１
2008255657.tif 000002
【特許請求の範囲】
【請求項１】
コンクリート打設用の型枠内において、鉄筋と型枠との間隔を一定に保つために使用されるスペーサであって、
スペーサを鉄筋に固定する鉄筋保持部と、
型枠内面に当接する型枠当接部と、
鉄筋と型枠との間隔を一定に保つ間隔保持部と、
間隔保持部に対し型枠当接部を、間隔保持部の軸線方向を中心に回転できるように保持する回転機構部とからなることを特徴とする鉄筋用スペーサ。
【請求項２】
鉄筋と型枠の間隔を変えることのできる調整機構部を有する請求項１に記載の鉄筋用スペーサ。
【発明の詳細な説明】
【技術分野】
【０００１】
本発明は、コンクリート打設時に鉄筋とコンクリート打設用型枠との間隔を確保するために使用される鉄筋用スペーサに関する。
【背景技術】
【０００２】
鉄筋コンクリート造や鉄骨鉄筋コンクリート造では、構造、耐久性などの理由により鉄筋を覆うコンクリートには、所定の厚さ（かぶり厚）を確保することが要求され、施工時において確実にかぶり厚を確保するために、鉄筋とコンクリート打設用型枠との間に所定間隔を確保するスペーサが用いられている。
【０００３】
図４に示すように、垂直方向に配置される縦筋と水平方向に配設される横筋を結束線などによって結束した鉄筋骨組みが組まれ、コンクリート打設用の型枠内に設置される。壁、柱等の鉄筋骨組みにおいては、水平断面内の外側に配置された鉄筋には上下方向に適宜間隔をおいてスペーサが取付けられる。
【０００４】
スペーサは図４に示すように、略円盤形状で中央に鉄筋に固定する孔が設けられ、スペーサ外周部の突起部がコンクリート型枠内面に当接することにより、鉄筋とコンクリート型枠の間隔が保持されることになる。
【０００５】
【特許文献１】特開２００２−２４２３６８号公報
【発明の開示】
【発明が解決しようとする課題】
【０００６】
しかし、図４に示すようにスペーサを垂直方向に配置される縦筋に直交して取り付ける横使いで使用すると、スペーサの円盤面が上方より打設されるコンクリートの抵抗となって、コンクリートの突固め不足などの原因によって鉄筋用スペーサの下側へコンクリートが廻りきらず、鉄筋用スペーサ下に空隙やジャンカなどができたり、鉄筋用スペーサが脱落しかぶり厚を確保できないという不具合が発生する場合がある。
【０００７】
先の特許文献に開示されている発明は、このような問題に鑑み縦筋と横筋との交差部において縦使いで使用できる縦使い用スペーサを提案しているが、それだと施工の際使う場所によって縦使い用スペーサと横使い用スペーサの２種類を用意しなければならないという問題がある。
【０００８】
本発明は、以上のような問題点に鑑み、縦使いでも横使いでも使用でき、縦筋と横筋の交差部以外でも配置することのできる鉄筋用スペーサを提供することを課題とする。
【課題を解決するための手段】
【０００９】
上記の課題は、コンクリート打設用の型枠内において、鉄筋と型枠との間隔を一定に保つために使用されるスペーサであって、スペーサを鉄筋に固定する鉄筋保持部と、型枠内面に当接する型枠当接部と、鉄筋と型枠との間隔を一定に保つ間隔保持部と、間隔保持部に対し型枠当接部を、間隔保持部の軸線方向を中心に回転できるように保持する回転機構部とからなることを特徴とする鉄筋用スペーサにより解決される。
【００１０】
本鉄筋用スペーサは、スペーサを鉄筋に固定する鉄筋保持部と型枠内面に当接する型枠当接部と鉄筋と型枠との間隔を一定に保つ間隔保持部と、間隔保持部に対し型枠当接部を、間隔保持部の軸線方向を中心に回転できるように保持する回転機構部を有することから、本鉄筋用スペーサを型枠内に設けられた横方向に伸びる鉄筋に固定しても、縦方向に伸びる鉄筋に固定しても型枠当接部を間隔保持部の軸線方向を中心に回転することで型枠当接部を垂直方向に向けることができる。また、任意の方向に向けることもできる。
【００１１】
そのため型枠内にコンクリートを打設した際に、鉄筋用スペーサの円盤面が上方より打設されるコンクリートの抵抗となって、鉄筋用スペーサの下側へコンクリートが廻りきらず、鉄筋用スペーサ下に空隙やジャンカなどができたり、鉄筋用スペーサが脱落したりするという不具合が発生する場合がない。
【００１２】
さらに、本鉄筋用スペーサが鉄筋と型枠の間隔を変えることのできる調整機構部を有しているとよい。
【００１３】
鉄筋用スペーサが鉄筋と型枠の間隔を変えることのできる調整機構部を有していることで、調整機構部を調整することにより鉄筋と型枠の間隔を任意に変更することができ、施工時に鉄筋と型枠の間隔を任意に調整することで、さまざまなコンクリート厚さに対応することができ、鉄筋と型枠の間隔に応じてさまざまな寸法の鉄筋用スペーサを用意することなく、施工を実現することができる。
【発明の効果】
【００１４】
本発明は以上のとおりであるから、型枠内にコンクリートを打設した際に、鉄筋用スペーサの円盤面が上方より打設されるコンクリートの抵抗となって、鉄筋用スペーサの下側へコンクリートが廻りきらず、鉄筋用スペーサ下に空隙やジャンカなどができたり、鉄筋用スペーサが脱落したりするという不具合が発生せず、密実なコンクリートを打設することができる。
【発明を実施するための最良の形態】
【００１５】
次に、本発明の実施最良形態を図面に基づいて説明する。
【００１６】
図１、図２に示す鉄筋用スペーサ１において、２は鉄筋保持部、３は型枠当接部、４は間隔保持部、５は回転機構部、６は間隔調節部、８は鉄筋（縦筋）、９は鉄筋（横筋）、１０は型枠である。
【００１７】
鉄筋保持部２は、中央部に鉄筋を保持する嵌合部を有し嵌合により鉄筋に固定される。鉄筋保持部２は嵌合部の変形により径の異なる鉄筋、例えばＤ１０とＤ１３にも対応できるようになっているとよい。
【００１８】
型枠当接部３は半月状の円盤であり、外周部と内部の骨組みにより構成され外周部が型枠内部と当接する。型枠当接部３と間隔保持部４は、間隔保持部４に対し型枠当接部３を、間隔保持部４の軸線方向を中心に回転できるように回転機構部５で連結されている。回転機構部５は例えば図１（ロ）に示すようにピン接合で回転自在に型枠当接部３と間隔保持部４を連結している。
【００１９】
間隔保持部４の型枠当接部３と連結する側と反対の端部は間隔調節部６を介して鉄筋保持部２と連結している。間隔保持部６と間隔保持部４とは螺合されており、一方を回転させることで、間隔保持部６と間隔保持部４とが進出若しくは後退し、鉄筋保持部２と型枠当接部３との間隔を任意に調節することができる。
【００２０】
また図１（ハ）に示すように、間隔保持部４の側面には、鉄筋保持部２と型枠当接部３との間隔を表示する目盛り７が刻まれていて、鉄筋保持部２と型枠当接部３との間隔が読み取れるようになっている。
【００２１】
型枠１０内に施工された鉄筋８，９への鉄筋スペーサ１の取り付けは次のようにして行う。図３（イ）に示すように鉄筋スペーサ１の鉄筋保持部を縦筋８に取り付ける。このとき施工性を考慮して、間隔保持部４の長さ寸法を鉄筋８と型枠１０との適正な間隔と同じか若干短くしておくとよい。
【００２２】
次に、図３(ロ)に示すように、間隔保持部４を間隔調整部６に対し回転させることで、間隔保持部６に対して螺合している間隔保持部４が進出若しくは後退し、鉄筋と型枠との適正な間隔に調整される。このとき目盛り７の表示を確認することにより、鉄筋と型枠との間隔が確保されていることを確認することができる。そして、図３（ハ）に示すように、型枠当接部３を間隔保持部４に対して回転させ、型枠当接部３を鉛直方向に対し平行にすることで、鉄筋用スペーサ１の型枠１０及び鉄筋８への取り付けは完了する。
【００２３】
この状態でコンクリートを上方から打設すると、型枠当接部３が抵抗して、鉄筋用スペーサの下側へコンクリートが廻りきらず、鉄筋用スペーサ下に空隙やジャンカなどができたり、鉄筋用スペーサが脱落したりするという不具合が発生することもなく、型枠内にコンクリートを密実に充填させることができる。
【００２４】
また、施工の際使う場所によって縦使い用スペーサと横使い用スペーサの２種類を用意する必要もなく、縦使いでも横使いでも使用することのできる鉄筋用スペーサであるため、施工時に効率よく施工することができる。
【００２５】
以上に、本発明の実施形態を示したが、本発明はこれに限られるものではなく、発明思想を逸脱しない範囲で各種の変更が可能である。例えば、上記の実施形態では、型枠当接部３が間隔保持部４とピン接合により回転可能に接合されている場合について示したが、螺子式で回転可能に接合されていてもよい。
【００２６】
また、上記実施形態では、回転機構部と間隔調整部が別々に設けられた場合について示したが、回転機構部と間隔調整部が一体として設けられ、鉄筋と型枠との間隔を調整しながら、型枠当接部の固定位置が垂直になるように調整してもよい。この場合、螺子ピッチを密にしていれば、きめの細かい調整が可能になり、鉄筋と型枠の間隔を調整するとともに型枠当接部の固定位置をも調節することができる。さらに、間隔調整部も、螺子式である必要がなく、間隔保持部に任意の間隔で複数のピン挿入孔が設け、間隔調整部に設けたピン挿入孔と間隔保持部の任意のピン挿入孔を合わせてピンを挿入することで間隔を調整するようにしてもよい。
【図面の簡単な説明】
【００２７】
【図１】（イ）は本発明の鉄筋スペーサを示す正面図、（ロ）は回転機構部を示す要部拡大正面図、（ハ）は間隔調節部を示す要部拡大正面図である。
【図２】（イ）は鉄筋スペーサの取り付け状況を示す側面図、（ロ）は同正面図である。
【図３】（イ）〜(ハ)は鉄筋スペーサの取り付け方法を順次示す側面図である。
【図４】従来技術を示す斜視図である。
【符号の説明】
【００２８】
１・・・鉄筋用スペーサ
２・・・鉄筋保持部
３・・・型枠当接部
４・・・間隔保持部
５・・・回転機構部
６・・・間隔調節部
７・・・目盛り
８・・・鉄筋（縦筋）
９・・・鉄筋（横筋）
１０・・・型枠
【図１】
2008255657.tif 000003
【図２】
2008255657.tif 000004
【図３】
2008255657.tif 000005
【図４】
2008255657.tif 000006